(57)【要約】【課題】  電子書籍の文字データに関連して、利用者が自分で気付かないような観点を用いて関連する情報を取得することが可能な電子書籍の参照コンテンツ表示システムおよび表示方法を提供する。【解決手段】  電子書籍装置が、利用者からの指示に従って表示範囲を決定し、決定された表示範囲に含まれる参照対象を取得し、参照対象を特定する対象ＩＤをデータ管理サーバに送信し、データ管理サーバが、対象ＩＤに対応する観点リストを取得して電子書籍装置に送信し、電子書籍装置が観点リストを表示し、観点リストの中から利用者により指定された観点を特定する観点ＩＤをデータ管理サーバに送信し、データ管理サーバが観点ＩＤに対応する参照コンテンツを取得して電子書籍装置に送信し、電子書籍装置が参照コンテンツを表示する。【選択図】  図９
2014010730.tif 000002
【特許請求の範囲】
【請求項１】
書籍データを表示する電子書籍装置と、前記書籍データに関連するデータを管理するデータ管理サーバが、データ送受信可能に接続された電子書籍の参照コンテンツ表示システムであって、
前記電子書籍装置は、
利用者からの指示に従って表示範囲を決定する表示範囲決定手段と、
前記表示範囲決定手段により決定された表示範囲に含まれる参照対象を特定する対象識別情報を取得する参照対象特定手段と、
前記参照対象特定手段により取得された対象識別情報を前記データ管理サーバに送信する対象識別情報送信手段と、
前記データ管理サーバから受信した観点リストを表示する観点リスト表示手段と、
前記表示された観点リストの中から利用者により指定された観点を特定する観点識別情報を取得し、前記データ管理サーバに送信する観点識別情報送信手段と、
前記データ管理サーバから受信した参照コンテンツを表示する参照コンテンツ表示手段と、を有し、
前記データ管理サーバは、
前記対象識別情報と前記観点リストを対応付けて記憶した観点記憶手段と、
前記観点識別情報と参照コンテンツを対応付けて記憶した参照コンテンツ記憶手段と、
前記対象識別情報に対応する観点リストを取得する観点リスト取得手段と、
前記取得された観点リストを前記電子書籍装置に送信する観点リスト送信手段と、
前記電子書籍装置から受信した観点識別情報で前記参照コンテンツ記憶手段を参照し、対応する参照コンテンツを取得する参照コンテンツ取得手段と、
前記参照コンテンツ取得手段により取得された参照コンテンツを前記電子書籍装置に送信する参照コンテンツ送信手段と、
を有することを特徴とする電子書籍の参照コンテンツ表示システム。
【請求項２】
前記参照コンテンツ送信手段は、前記観点識別情報に対応する参照コンテンツが参照コンテンツ記憶手段に記憶されておらず、参照コンテンツパスが前記データ管理サーバ以外の外部のサーバを示している場合に、当該外部のサーバを参照先サーバとして示す参照コンテンツパスを前記電子書籍装置に送信するものであり、
前記電子書籍装置は、前記参照コンテンツ送信手段から受信した参照コンテンツパスを用いて前記参照先サーバにアクセスし、当該参照先サーバから参照コンテンツを受信した後、前記参照コンテンツ表示手段が前記参照先サーバから受信した参照コンテンツを表示することを特徴とする請求項１に記載の電子書籍の参照コンテンツ表示システム。
【請求項３】
前記電子書籍装置は、
ネットワークを介して前記参照先サーバから取得した情報に基づき、前記データ管理サーバに、前記参照先サーバを示す前記参照コンテンツパスを送信する参照コンテンツパス送信手段と、
前記データ管理サーバから受信した書籍情報を表示する書籍情報表示手段と、を更に有し  、
前記データ管理サーバは、
書籍識別情報に対応付けてタイトル、表紙画像の一方を少なくとも含む書籍情報を記憶した書籍情報記憶手段と、
前記電子書籍装置から受信した参照コンテンツパスで前記参照コンテンツ記憶手段を参照し、対応する対象ＩＤおよび観点を取得し、取得した対象ＩＤに含まれる書籍ＩＤを取得した後、当該書籍ＩＤで前記書籍情報記憶手段を参照し、対応するタイトル、表紙画像の一方を少なくとも含む書籍情報を取得する書籍情報取得手段と、
前記書籍情報取得手段により取得された書籍情報を前記電子書籍装置に送信する書籍情報送信手段と、
を更に有することを特徴とする請求項２に記載の電子書籍の参照コンテンツ表示システム。
【請求項４】
前記データ管理サーバは、
前記参照コンテンツ記憶手段内に記憶された共通の観点を有する参照コンテンツパスを取得し、取得されたコンテンツパスへのアクセス命令を記述した統合ページデータを作成する観点統合サイト作成手段と、
前記作成された統合ページデータを外部からアクセス可能なデータとして記憶する統合サイト記憶手段と、
を更に有することを特徴とする請求項２または請求項３に記載の電子書籍の参照コンテンツ表示システム。
【請求項５】
前記電子書籍装置は、
書籍に付された光学シンボルを読み取る光学シンボル読取手段と、
前記光学シンボルから読み取った書籍識別情報を前記データ管理サーバに送信する書籍識別情報送信手段と、
前記データ管理サーバから受信した関連書籍情報を表示する関連書籍情報表示手段と、
を更に有し、
前記データ管理サーバは、
前記参照コンテンツパスと関連書籍識別情報を対応付けて記憶した関連書籍識別情報記憶手段と、
前記電子書籍装置から受信した書籍識別情報で前記参照コンテンツ記憶手段を参照して参照コンテンツパスを取得し、当該参照コンテンツパスで関連書籍識別情報記憶手段を参照して関連書籍識別情報を取得し、当該関連書籍識別情報を書籍識別情報として前記書籍情報記憶手段を参照し、関連書籍の書籍情報である関連書籍情報を取得する関連書籍情報取得手段と、
前記関連書籍情報取得手段により取得された関連書籍情報を前記電子書籍装置に送信する関連書籍情報送信手段と、
を更に有することを特徴とする請求項１から請求項４のいずれか一項に記載の電子書籍の参照コンテンツ表示システム。
【請求項６】
書籍データを表示する電子書籍装置と、当該電子書籍装置にデータ送受信可能に接続され、前記書籍データに関連するデータを管理するデータ管理サーバと、を利用した電子書籍の表示方法であって、
前記電子書籍装置が、利用者からの指示に従って表示範囲を決定する段階と、
前記電子書籍装置が、前記決定された表示範囲に含まれる参照対象を取得する段階と、
前記電子書籍装置が、前記参照対象を特定する対象識別情報を前記データ管理サーバに送信する段階と、
前記データ管理サーバが、前記対象識別情報に対応する観点リストを取得する段階と、
前記データ管理サーバが、前記取得した観点リストを前記電子書籍装置に送信する段階と、
前記電子書籍装置が、前記観点リストを表示する段階と、
前記電子書籍装置が、前記観点リストの中から利用者により指定された観点を特定する観点識別情報を前記データ管理サーバに送信する段階と、
前記データ管理サーバが、前記観点識別情報に対応する参照コンテンツを取得する段階と、
前記データ管理サーバが、前記取得した参照コンテンツを前記電子書籍装置に送信する段階と、
前記電子書籍装置が、前記参照コンテンツを表示する段階と、
を有することを特徴とする電子書籍の表示方法。
【発明の詳細な説明】
【技術分野】
【０００１】
本発明は、書籍データを端末装置で閲覧する電子書籍に関し、特に表示している文書に関連する情報を取得するための技術に関する。
【背景技術】
【０００２】
近年、コンピュータ技術の発達により、様々な情報が電子化されてきている。書籍に関しても電子化が進んでおり、携帯可能な情報処理装置に電子化された書籍を取り込み、画面表示して閲覧する電子書籍の普及が進んでいる。
【０００３】
電子書籍では、電子化されたことによるメリットを利用し、単体としてだけでなく、他の媒体にアクセスし、関連する情報を取得する技術も開発されている（特許文献１参照）。
【先行技術文献】
【特許文献】
【０００４】
【特許文献１】特開２０１０−２６２４４１号公報
【発明の概要】
【発明が解決しようとする課題】
【０００５】
しかしながら、上記特許文献１に記載の技術では、電子書籍の内容に直接関連する情報を取得することは可能であるが、文字データに関連して、利用者が自分で気付かないような観点を用いて関連する情報へアクセスすることができるようになっていない。
【０００６】
そこで、本発明は、電子書籍の文字データに関連して、利用者が自分で気付かないような観点を用いて関連する情報を取得することが可能な電子書籍の参照コンテンツ表示システムおよび表示方法を提供することを課題とする。
【課題を解決するための手段】
【０００７】
上記課題を解決するため、本発明第１の態様では、書籍データを表示する電子書籍装置と、前記書籍データに関連するデータを管理するデータ管理サーバが、データ送受信可能に接続された電子書籍の参照コンテンツ表示システムであって、前記電子書籍装置は、利用者からの指示に従って表示範囲を決定する表示範囲決定手段と、前記表示範囲決定手段により決定された表示範囲に含まれる参照対象を特定する対象識別情報を取得する参照対象特定手段と、前記参照対象特定手段により取得された対象識別情報を前記データ管理サーバに送信する対象識別情報送信手段と、前記データ管理サーバから受信した観点リストを表示する観点リスト表示手段と、前記表示された観点リストの中から利用者により指定された観点を特定する観点識別情報を取得し、前記データ管理サーバに送信する観点識別情報送信手段と、前記データ管理サーバから受信した参照コンテンツを表示する参照コンテンツ表示手段と、を有し、前記データ管理サーバは、前記対象識別情報と前記観点リストを対応付けて記憶した観点記憶手段と、前記観点識別情報と参照コンテンツを対応付けて記憶した参照コンテンツ記憶手段と、前記対象識別情報に対応する観点リストを取得する観点リスト取得手段と、前記取得された観点リストを前記電子書籍装置に送信する観点リスト送信手段と、前記電子書籍装置から受信した観点識別情報で前記参照コンテンツ記憶手段を参照し、対応する参照コンテンツを取得する参照コンテンツ取得手段と、前記参照コンテンツ取得手段により取得された参照コンテンツを前記電子書籍装置に送信する参照コンテンツ送信手段と、を有することを特徴とする電子書籍の参照コンテンツ表示システムを提供する。
【０００８】
本発明第１の態様によれば、電子書籍装置に表示された書籍データに含まれる参照対象を特定し、参照対象を特定する情報をデータ管理サーバに送信し、データ管理サーバが参照対象に対応する観点リストを電子書籍装置に送信し、電子書籍装置で表示された観点リストの中から選択された観点を特定する情報を電子書籍装置がデータ管理サーバに送信し、データ管理サーバが観点に対応する参照コンテンツを電子書籍装置に送信し、電子書籍装置が参照コンテンツを表示するようにしたので、利用者が自分で気付かないような観点が提示され、その観点に基づく参照コンテンツを取得することが可能となる。
【０００９】
また、本発明第２の態様は、本発明第１の態様の電子書籍の参照コンテンツ表示システムにおいて、前記参照コンテンツ送信手段は、前記観点識別情報に対応する参照コンテンツが参照コンテンツ記憶手段に記憶されておらず、参照コンテンツパスが前記データ管理サーバ以外の外部のサーバを示している場合に、当該外部のサーバを参照先サーバとして示す参照コンテンツパスを前記電子書籍装置に送信するものであり、前記電子書籍装置は、前記参照コンテンツ送信手段から受信した参照コンテンツパスを用いて前記参照先サーバにアクセスし、当該参照先サーバから参照コンテンツを受信した後、前記参照コンテンツ表示手段が前記参照先サーバから受信した参照コンテンツを表示することを特徴とする。
【００１０】
本発明第２の態様によれば、参照コンテンツパス記憶手段に記憶された参照コンテンツパスがデータ管理サーバ以外の外部のサーバである場合に、そのサーバを参照先サーバとして示す参照コンテンツパスを電子書籍装置に送信し、電子書籍装置は、受信した参照コンテンツパスを用いて参照先サーバにアクセスし、参照コンテンツを取得して表示するようにしたので、ネットワーク上の様々なサーバから参照コンテンツを取得することが可能となる。
【００１１】
また、本発明第３の態様は、本発明第２の態様の電子書籍の参照コンテンツ表示システムにおいて、前記電子書籍装置は、ネットワークを介して前記参照先サーバから取得した情報に基づき、前記データ管理サーバに、前記参照先サーバを示す前記参照コンテンツパスを送信する参照コンテンツパス送信手段と、前記データ管理サーバから受信した書籍情報を表示する書籍情報表示手段と、を更に有し、前記データ管理サーバは、書籍識別情報に対応付けてタイトル、表紙画像の一方を少なくとも含む書籍情報を記憶した書籍情報記憶手段と、前記電子書籍装置から受信した参照コンテンツパスで前記参照コンテンツ記憶手段を参照し、対応する対象ＩＤおよび観点を取得し、取得した対象ＩＤに含まれる書籍ＩＤを取得した後、当該書籍ＩＤで前記書籍情報記憶手段を参照し、対応するタイトル、表紙画像の一方を少なくとも含む書籍情報を取得する書籍情報取得手段と、前記書籍情報取得手段により取得された書籍情報を前記電子書籍装置に送信する書籍情報送信手段と、を更に有することを特徴とする。
【００１２】
本発明第３の態様によれば、電子書籍装置が、前記参照先サーバから取得した情報に基づき、データ管理サーバに、参照先サーバを示す参照コンテンツパスを送信し、データ管理サーバは、受信した参照コンテンツパスで参照コンテンツパス記憶手段を参照し、対応する対象ＩＤおよび観点を取得し、取得した対象ＩＤに含まれる書籍ＩＤを取得し、その書籍ＩＤで書籍情報記憶手段を参照し、対応するタイトル、表紙画像の一方を少なくとも含む書籍情報を取得し、その書籍情報を電子書籍装置に送信し、電子書籍装置が、受信した書籍情報を表示するようにしたので、参照先サーバから逆に書籍情報を取得することが可能となる。
【００１３】
また、本発明第４の態様は、本発明第２または第３の態様の電子書籍の参照コンテンツ表示システムにおいて、前記データ管理サーバは、前記参照コンテンツ記憶手段内に記憶された共通の観点を有する参照コンテンツパスを取得し、取得されたコンテンツパスへのアクセス命令を記述した統合ページデータを作成する観点統合サイト作成手段と、前記作成された統合ページデータを外部からアクセス可能なデータとして記憶する統合サイト記憶手段と、を更に有することを特徴とする。
【００１４】
本発明第４の態様によれば、データ管理サーバが、参照コンテンツ記憶手段内に記憶された共通の観点を有する参照コンテンツパスを取得し、取得されたコンテンツパスへのアクセス命令を記述した統合ページデータを作成し、外部からアクセス可能なデータとして記憶するようにしたので、ある観点に基づく複数の参照先をまとめて提供することが可能となる。
【００１５】
また、本発明第５の態様は、本発明第１から第４のいずれかの態様の電子書籍の参照コンテンツ表示システムにおいて、前記電子書籍装置は、書籍に付された光学シンボルを読み取る光学シンボル読取手段と、前記光学シンボルから読み取った書籍識別情報を前記データ管理サーバに送信する書籍識別情報送信手段と、前記データ管理サーバから受信した関連書籍情報を表示する関連書籍情報表示手段と、を更に有し、前記データ管理サーバは、前記参照コンテンツパスと関連書籍識別情報を対応付けて記憶した関連書籍識別情報記憶手段と、前記電子書籍装置から受信した書籍識別情報で前記参照コンテンツ記憶手段を参照して参照コンテンツパスを取得し、当該参照コンテンツパスで関連書籍識別情報記憶手段を参照して関連書籍識別情報を取得し、当該関連書籍識別情報を書籍識別情報として前記書籍情報記憶手段を参照し、関連書籍の書籍情報である関連書籍情報を取得する関連書籍情報取得手段と、前記関連書籍情報取得手段により取得された関連書籍情報を前記電子書籍装置に送信する関連書籍情報送信手段と、を更に有することを特徴とする。
【００１６】
本発明第５の態様によれば、電子書籍装置が、書籍に付された光学シンボルを読み取って書籍識別情報を取得し、その書籍識別情報をデータ管理サーバに送信し、データ管理サーバが、受信した書籍識別情報で参照コンテンツ記憶手段を参照して参照コンテンツパスを取得し、参照コンテンツパスで関連書籍識別情報記憶手段を参照して関連書籍識別情報を取得し、関連書籍識別情報を書籍識別情報として書籍情報記憶手段を参照し、関連書籍の書籍情報である関連書籍情報を取得し、関連書籍情報を電子書籍装置に送信し、電子書籍装置が、関連書籍情報を表示するようにしたので、紙の書籍に関連する書籍の情報を簡易迅速に取得することが可能となる。
【００１７】
また、本発明第６の態様では、書籍データを表示する電子書籍装置と、当該電子書籍装置にデータ送受信可能に接続され、前記書籍データに関連するデータを管理するデータ管理サーバと、を利用した電子書籍の表示方法であって、前記電子書籍装置が、利用者からの指示に従って表示範囲を決定する段階と、前記電子書籍装置が、前記決定された表示範囲に含まれる参照対象を取得する段階と、前記電子書籍装置が、前記参照対象を特定する対象識別情報を前記データ管理サーバに送信する段階と、前記データ管理サーバが、前記対象識別情報に対応する観点リストを取得する段階と、前記データ管理サーバが、前記取得した観点リストを前記電子書籍装置に送信する段階と、前記電子書籍装置が、前記観点リストを表示する段階と、前記電子書籍装置が、前記観点リストの中から利用者により指定された観点を特定する観点識別情報を前記データ管理サーバに送信する段階と、前記データ管理サーバが、前記観点識別情報に対応する参照コンテンツを取得する段階と、前記データ管理サーバが、前記取得した参照コンテンツを前記電子書籍装置に送信する段階と、前記電子書籍装置が、前記参照コンテンツを表示する段階と、を有することを特徴とする電子書籍の表示方法を提供する。
【００１８】
本発明第６の態様によれば、それぞれ本発明第１の態様と同様の効果を得ることが可能となる。
【発明の効果】
【００１９】
本発明によれば、電子書籍の文字情報に関連して、利用者が自分で気付かないような観点を用いて関連する情報を取得することが可能となるという効果を有する。
【図面の簡単な説明】
【００２０】
【図１】本発明の一実施形態に係る電子書籍の参照コンテンツ表示システムの構成図である。
【図２】携帯型端末１０の詳細を示す図である。
【図３】データ管理サーバ２０の詳細を示す図である。
【図４】ＨＴＭＬ形式の書籍データにおける対象ＩＤの記述例を示す図である。
【図５】観点記憶手段Ｄ２に記憶された情報の一例を示す図である。
【図６】参照コンテンツ記憶手段Ｄ３に記憶された情報の一例を示す図である。
【図７】本発明の一実施形態に係るシーケンス図である。
【図８】書籍データ、観点リストが表示された状態の携帯型端末１０の画面を示す図である。
【図９】参照コンテンツが表示された状態の携帯型端末１０の画面を示す図である。
【図１０】本発明の第１の応用形態に係る電子書籍の参照コンテンツ表示システムの構成図である。
【図１１】データ管理サーバ２０´の詳細を示す図である。
【図１２】書籍情報記憶手段Ｄ４に記憶された情報の一例を示す図である。
【図１３】本発明の第１の応用形態に係るシーケンス図である。
【図１４】逆引きによる書籍情報が表示された状態の携帯型端末１０の画面を示す図である。
【図１５】本発明の第２の応用形態におけるデータ管理サーバ２０´のフローチャートである。
【図１６】観点統合サイトにアクセスした状態の携帯型端末１０の画面を示す図である。
【図１７】本発明の第３の応用形態に係る電子書籍の参照コンテンツ表示システムの構成図である。
【図１８】データ管理サーバ２０´´の詳細を示す図である。
【図１９】書籍コード記憶手段Ｄ６に記憶された情報の一例を示す図である。
【図２０】関連書籍識別情報記憶手段Ｄ７に記憶された情報の一例を示す図である。
【図２１】本発明の第３の応用形態に係るシーケンス図である。
【発明を実施するための形態】
【００２１】
＜１．システム構成＞
以下、本発明の好適な実施形態について図面を参照して詳細に説明する。図１は、本発明の一実施形態に係る電子書籍の参照コンテンツ表示システムの構成図である。図１において、１０は携帯型端末、２０はデータ管理サーバ、３０はネットワークである。携帯型端末１０、データ管理サーバ２０はインターネット等の公衆のネットワーク３０に接続されており、互いにデータの送受信が可能となっている。
【００２２】
携帯型端末１０は、携帯電話機、スマートフォン、タブレット等の情報処理機能、ネットワーク通信機能、表示機能を備えた携帯可能な端末装置であり、電子書籍の書籍データを表示する電子書籍装置として機能する。本発明を実施するに際し、携帯型端末１０は通話機能を備えていなくても良い。データ管理サーバ２０は、電子書籍に関連するデータを管理し、携帯型端末１０からの要求に応じて供給するサーバコンピュータである。
【００２３】
図２（ａ）は、携帯型端末１０のハードウェア構成図である。携帯型端末１０は、いわゆるスマートフォンに専用のプログラムを組み込むことにより実現される。図２（ａ）に示すように、ＣＰＵ（Central Processing Unit）１０ａと、メインメモリであるＲＡＭ（Random Access Memory）１０ｂと、ＣＰＵが実行するプログラムやデータを記憶するための不揮発性の記憶装置１０ｃ（例えば、ハードディスク、フラッシュメモリ等）と、キーボード、タッチパネル等の指示入力部１０ｄと、外部装置（データ記憶媒体等）とデータ通信するためのデータ入出力Ｉ／Ｆ（インタフェース）１０ｅと、表示部（液晶ディスプレイ等）１０ｆと、ネットワークを介して他のコンピュータとネットワーク通信を行うための通信部１０ｇと、写真撮影を行うカメラ部１０ｈを備え、互いにバスを介して接続されている。現実には、スマートフォンには、図２に示した以外にも、マイクロフォン、スピーカ、音声処理部等の通話のための機能を有している。本発明では、マイクロフォンは用いないが、表示する対象である参照コンテンツが、音声データを有する場合には、スピーカ、音声処理部を用いる。
【００２４】
図２（ｂ）は、携帯型端末１０の機能ブロック図である。図２（ａ）に示したハードウェア構成において、ＣＰＵ１０ａが記憶装置１０ｃに記憶されたプログラムをＲＡＭ１０ｂに読み込んで実行することにより、携帯型端末１０は、図２（ｂ）に示した各手段を機能させることが可能となる。図２（ｂ）に示すように、携帯型端末１０は、表示範囲決定手段１１、参照対象特定手段１２、対象識別情報送信手段１３、観点リスト表示手段１４、観点識別情報送信手段１５、参照コンテンツ表示手段１６、書籍データ記憶手段Ｄ１を有する。
【００２５】
表示範囲決定手段１１は、指示入力部１０ｄにより指定された書籍データの表示範囲を決定する手段であり、ＣＰＵ１０ａが、指示入力部１０ｄの指示に従い、書籍データ中の対応範囲をＲＡＭ１０ｂの所定領域に読み込むことにより実現される。参照対象特定手段１２は、表示範囲決定手段１１により決定された書籍データの表示範囲に含まれる参照対象を特定する手段であり、ＣＰＵ１０ａが、専用のプログラムを実行し、表示範囲とされた書籍データに付随する対象識別情報を取得することにより実現される。対象識別情報送信手段１３は、取得した対象識別情報（以下、対象ＩＤという）をデータ管理サーバ２０に送信する手段であり、通信部１０ｇがＣＰＵ１０ａから受けた送信命令を実行することにより実現される。
【００２６】
観点リスト表示手段１４は、データ管理サーバ２０から受信した観点リストを表示する手段であり、ＣＰＵ１０ａがＲＡＭ１０ｂ、表示部１０ｆを制御することにより実現される。観点識別情報送信手段１５は、指示入力部１０ｄを介して外部から観点の選択指示が行われた場合に、選択された観点を特定する観点識別情報をデータ管理サーバ２０に送信する手段であり、通信部１０ｇがＣＰＵ１０ａから受けた送信命令を実行することにより実現される。参照コンテンツ表示手段１６は、データ管理サーバ２０から受信した参照コンテンツを表示する手段であり、ＣＰＵ１０ａがＲＡＭ１０ｂ、表示部１０ｆを制御することにより実現される。
【００２７】
書籍データ記憶手段Ｄ１は、書籍データを記憶した記憶手段である。書籍データ記憶手段Ｄ１は、記憶装置１０ｃ内に書籍データを記憶するための所定の領域を確保することにより実現される。書籍データは、文字データ（テキストデータ）を必須として、画像、音声、動画等のデータを含んだ構成となっており、本実施形態ではＨＴＭＬ形式を採用している。書籍データは、ページ番号と対応付けられており、ページ番号を特定するとＨＴＭＬのタグを含めてその範囲が特定可能に構成されている。図４は、ＨＴＭＬ形式の書籍データのうち、対象ＩＤが付与された文字列に対応する部分を示す図である。本実施形態では、所定の文字列に対応付けて対象ＩＤを付与している。図４の例では、文字列「カブトムシ」に対象ＩＤ（図４においては“ｔａｒｇｅｔＩＤ”と標記）“１００１０００１”を付与している。
【００２８】
図３（ａ）は、データ管理サーバ２０のハードウェア構成図である。データ管理サーバ２０は、汎用のサーバコンピュータで実現することができ、図３（ａ）に示すように、ＣＰＵ（Central Processing Unit）２０ａと、コンピュータのメインメモリであるＲＡＭ（Random Access Memory）２０ｂと、ＣＰＵが実行するプログラムやデータを記憶するための大容量の記憶装置２０ｃ（例えば、ハードディスク、フラッシュメモリ等）と、キーボード、マウス等の入力機器からの入力を受け付ける入力Ｉ／Ｆ（インタフェース）２０ｄと、外部装置（データ記憶媒体等）とデータ通信するためのデータ入出力Ｉ／Ｆ（インタフェース）２０ｅと、表示装置（液晶ディスプレイ等）に情報を送出するための表示出力Ｉ／Ｆ（インタフェース）２０ｆと、ネットワークを介して他のコンピュータとネットワーク通信を行うための通信部２０ｇを備え、互いにバスを介して接続されている。
【００２９】
図３（ｂ）は、データ管理サーバ２０の機能ブロック図である。図３（ａ）に示したハードウェア構成において、ＣＰＵ２０ａが記憶装置２０ｃに記憶されたプログラムをＲＡＭ２０ｂに読み込んで実行することにより、データ管理サーバ２０は、図３（ｂ）に示した各手段を機能させることが可能となる。図３（ｂ）に示すように、データ管理サーバ２０は、観点記憶手段Ｄ２、参照コンテンツ記憶手段Ｄ３、観点リスト取得手段２１、観点リスト送信手段２２、参照コンテンツ取得手段２３、参照コンテンツ送信手段２４を有する。
【００３０】
観点記憶手段Ｄ２は、対象ＩＤに対応付けて観点リストを記憶した記憶手段である。参照コンテンツ記憶手段Ｄ３は、観点ＩＤに対応付けて参照コンテンツを記憶した記憶手段である。観点記憶手段Ｄ２、参照コンテンツ記憶手段Ｄ３は、記憶装置２０ｃ内にそれぞれ観点リスト、参照コンテンツを記憶するための所定の領域を確保することにより実現される。
【００３１】
図５は、観点記憶手段Ｄ２に記憶された情報の一例を示す図である。図５に示すように、観点記憶手段Ｄ２には、対象ＩＤに対応付けて１以上の観点が羅列される形式で記憶されている。本実施形態では、対象ＩＤが書籍ＩＤを含む形態となっている。具体的には、９桁の対象ＩＤのうち、上位４桁が書籍ＩＤとなっている。図５の例では、上位４桁がいずれも“１００１”であるため、同一の書籍であることを示している。
【００３２】
図６は、参照コンテンツ記憶手段Ｄ３に記憶された情報の一例を示す図である。図６に示すように、参照コンテンツ記憶手段Ｄ３には、対象ＩＤおよび観点に対応付けて１以上の参照コンテンツパスが列挙される形式で記憶されている。参照コンテンツ記憶手段Ｄ３においては、対象ＩＤと観点の語句の組み合わせが、観点を特定可能な観点識別情報（以下、観点ＩＤという）としての役割を果たしている。参照コンテンツパスとしては、データ管理サーバ２０内（参照コンテンツ記憶手段Ｄ３内）のコンテンツのパスと、データ管理サーバ２０以外の公開されたサーバを特定するＵＲＬ（Ｕｎｉｆｏｒｍ  Ｒｅｓｏｕｃｅ  Ｌｏｃａｔｏｒ）との２種類が記憶されている。
【００３３】
観点リスト取得手段２１は、携帯型端末１０から受信した対象ＩＤを用いて観点記憶手段Ｄ２を参照し、該当する観点リストを取得する手段であり、ＣＰＵ２０ａが専用のプログラムを実行することにより実現される。観点リスト送信手段２２は、観点リスト取得手段２１により取得された観点リストを携帯型端末１０に送信する手段であり、通信部２０ｇがＣＰＵ２０ａから受けた送信命令を実行することにより実現される。
【００３４】
参照コンテンツ取得手段２３は、携帯型端末１０から受信した観点ＩＤ（対象ＩＤと観点の語句の組み合わせ）を用いて参照コンテンツ記憶手段Ｄ３を参照し、該当する参照コンテンツを取得する手段であり、ＣＰＵ２０ａが専用のプログラムを実行することにより実現される。参照コンテンツ送信手段２４は、参照コンテンツ取得手段２１により取得された参照コンテンツを携帯型端末１０に送信する手段であり、通信部２０ｇがＣＰＵ２０ａから受けた送信命令を実行することにより実現される。
【００３５】
＜２．事前準備＞
まず、事前の準備として、利用者は、所定の手順により自身のスマートフォン等を携帯型端末１０として機能させるための電子書籍用の専用プログラムを入手する。例えば、専用プログラムを“アプリ”と呼ばれるプログラムとして、ネットワーク上の所定のサーバに登録しておき、利用者がスマートフォンから、そのサーバにアクセスしてダウンロードすることにより、専用プログラムを入手することができる。この専用プログラムをスマートフォンにダウンロードすることにより、ＵＲＬ等のデータ管理サーバ２０にアクセスするためのネットワーク上のアドレスが携帯型端末１０の記憶装置１０ｃに格納される。
【００３６】
また、利用者は、ネットワークを介したダウンロード等により書籍データを取得し、記憶装置１０ｃに格納する。これにより、携帯型端末１０内に書籍データ記憶手段Ｄ１が形成される。
【００３７】
＜３．処理動作＞
次に、本実施形態に係る電子書籍の参照コンテンツ表示システムの処理動作について、図７のシーケンス図を用いて説明する。利用者が、電子書籍用のアプリケーションを起動させると、指示入力部１０ｄを介した利用者の指示に応じて書籍データを表示部１０ｆに表示させることが可能な状態となる。この状態で、利用者は、表示する書籍データの範囲を指定する。すると、表示範囲決定手段１１は、指示入力部１０ｄによる指示入力内容に基づいて、表示する書籍データの範囲を決定する（ステップＳ１１）。具体的には、利用者が表示するページを指定し、表示範囲決定手段１１は指定されたページに対応する書籍データを表示範囲として決定する。実際には、ＣＰＵ１０ａが、指定されたページに対応する書籍データを、ＲＡＭ１０ｂ内の表示用メモリとして確保された領域に読み込み、読み込まれた書籍データが表示範囲として決定されることになる。この際、ＲＡＭ１０ｂとは別に表示用メモリが用意されている場合は、その表示用メモリに書籍データを読み込む。
【００３８】
そして、参照対象特定手段１２が、表示範囲決定手段１１により決定された表示範囲に含まれる参照対象を特定する（ステップＳ１２）。具体的には、参照対象特定手段１２を実現するＣＰＵ１０ａが、表示用メモリに読み込まれた書籍データに付随する対象ＩＤ（参照対象を特定するＩＤ）を取得することにより参照対象を特定する。対象ＩＤが複数存在する場合は、複数の対象ＩＤを取得することになる。
【００３９】
一方、ＣＰＵ１０ａは、表示メモリに読み込まれた書籍データを表示部１０ｆに表示する。これにより、表示部１０ｆには、図８（ａ）に示すような状態で書籍データが表示される。ＣＰＵ１０ａは、ＨＴＭＬで記述された書籍データを解釈して表示部１０ｆに表示する。本実施形態では、参照対象となる文字列には、表示の際に所定の加工が行われるＨＴＭＬタグを付与しているため、参照対象には加工が行われて表示される。図８（ａ）では、参照対象である「カブトムシ」「クワガタムシ」「ハチ」の各文字列を枠で囲み、表示加工が行われることを示している。表示加工は、様々な形態で行うことができ、例えば、図４に示したＨＴＭＬタグが付与されている場合は、青色（color=blue）で表示されることになる。
【００４０】
次に、対象識別情報送信手段１３が、参照対象特定手段１２により取得された対象ＩＤをデータ管理サーバ２０に送信する（ステップＳ１３）。図８の例では、「カブトムシ」「クワガタムシ」「ハチ」にそれぞれ対応する“10010001”、“10010002”、“10010003”の３つの対象ＩＤが送信されることになる。
【００４１】
データ管理サーバ２０では、携帯型端末１０から送信された対象ＩＤを、通信部２０ｇが受信する。そして、観点リスト取得手段２１が、受信した対象ＩＤで観点記憶手段Ｄ２を参照し、対応する観点リストを取得する（ステップＳ１４）。対象ＩＤが複数存在する場合は、複数の対象ＩＤに対応して、複数の観点リストを取得することになる。本例では、図５に示した対象ＩＤ“10010001”、“10010002”、“10010003”に対応する観点リストが取得されることになる。続いて、観点リスト送信手段２２が、取得された観点リストを携帯型端末１０に送信する（ステップＳ１５）。
【００４２】
携帯型端末１０では、データ管理サーバ２０から送信された観点リストを、通信部１０ｇが受信する。そして、受信した観点リストを、観点リスト表示手段１４が表示する（ステップＳ１６）。実際には、受信した観点リストを、ＣＰＵ１０ａが表示部１０ｆに表示させる。観点リストが表示された際の、画面の状態を図８（ｂ）に示す。観点リストを表示する場合、画面の左側の所定の領域が、観点リスト表示領域として確保される。この際、観点リストの数が多く、全てが観点リスト表示領域に収まらない場合は、スクロール可能な状態とする。図８（ｂ）の例では、観点リストが３件あり、観点リスト表示領域に収まらないため、「カブトムシ」「クワガタムシ」の２件の観点リストを表示し、「ハチ」の観点リストについては、「▽」のマークにより下方にスクロール可能であることを示している。したがって、「ハチ」の観点リストについては、下方にスクロールすることにより、表示されることになる。表示された観点リストの中から、利用者が１つの観点を選択すると、観点識別情報送信手段は選択された観点を認識し、選択された観点を特定する観点ＩＤとともに、参照コンテンツ要求を、データ管理サーバ２０に送信する（ステップＳ１７）。
【００４３】
データ管理サーバ２０では、携帯型端末１０から送信された参照コンテンツ要求と観点ＩＤを、通信部２０ｇが受信する。そして、参照コンテンツ取得手段２３が、受信した観点ＩＤで参照コンテンツ記憶手段Ｄ３を参照し、対応する参照コンテンツを取得する（ステップＳ１８）。具体的には、図６に示したように、観点ＩＤ（対象ＩＤと観点の語句の組み合わせ）に対応する参照コンテンツパスを取得し、参照コンテンツパスが、参照コンテンツ記憶手段Ｄ３内を示している場合は、その参照コンテンツパスを利用して参照コンテンツを取得する。そして、観点ＩＤに対応する参照コンテンツが複数存在する場合は、複数の参照コンテンツを取得することになる。続いて、参照コンテンツ送信手段２４が、参照コンテンツ取得手段２３により取得された参照コンテンツを携帯型端末１０に送信する（ステップＳ１９）。
【００４４】
携帯型端末１０では、データ管理サーバ２０から送信された参照コンテンツを、通信部１０ｇが受信する。そして、受信した参照コンテンツを、参照コンテンツ表示手段１６が表示する（ステップＳ２０）。具体的には、ＣＰＵ１０ａが、受信した参照コンテンツを表示部１０ｆに表示させる。参照コンテンツを複数受信した場合は、複数の参照コンテンツを所定の体裁で表示する。
【００４５】
上記ステップＳ１８において、参照コンテンツ記憶手段Ｄ３に、観点ＩＤに対応する参照コンテンツが存在せず、参照コンテンツのＵＲＬが記録してある場合は、参照コンテンツ送信手段２４は、そのＵＲＬを携帯型端末１０に送信する。そして、携帯型端末１０では、通信部１０ｇが参照コンテンツのＵＲＬを受信すると、そのＵＲＬを利用して参照コンテンツが存在するサイトにアクセスし、参照コンテンツを取得する。そして、参照コンテンツ表示手段１６は、取得した参照コンテンツを表示する。
【００４６】
図９は、参照コンテンツ表示手段１６により参照コンテンツが画面に表示された状態を示す図である。図９に示すように、参照コンテンツは、書籍データ表示領域に、書籍データに重ねて表示される。複数の参照コンテンツが取得された場合は、１つを中央に表示し、他の参照コンテンツは所定の比率で縮小して表示する。縮小しても書籍データ表示領域に収まらない場合は、中央に表示された参照コンテンツの背後に一部が隠れる状態で表示させる。中央に表示された参照コンテンツの両側には、左右を示すマークが表示され、このマークが操作されると、ＣＰＵ１０ａが、中央に表示する参照コンテンツを他の参照コンテンツと入れ替える処理を行う。
【００４７】
＜４．第１・第２の応用形態・システム構成＞
次に、第１・第２の応用形態について説明する。第１・第２の応用形態では、上記実施形態（以下、基本形態という）において、参照コンテンツの参照先とされた参照先サーバから、逆引きを行うことを特徴とする。図１０は、本発明の第１・第２の応用形態に係る電子書籍の参照コンテンツ表示システムの構成図である。図１０中、基本形態と同一の構成要素については、同一符号を付してある。携帯型端末１０は、基本形態に示したものと同様の構成であるが、データ管理サーバ２０´は、基本形態におけるデータ管理サーバ２０と若干異なっている。４０は参照先サーバである。携帯型端末１０、データ管理サーバ２０´、参照先サーバ４０は、インターネット等の公衆のネットワーク３０に接続されており、互いにデータの送受信が可能となっている。
【００４８】
携帯型端末１０は、スマートフォンとしての基本的な構成と、ＷＷＷブラウザにより、参照先サーバ４０から取得した情報に基づき、データ管理サーバ２０に、参照先サーバ４０が有する参照コンテンツのパスである参照コンテンツパスを送信する参照コンテンツパス送信手段、データ管理サーバ２０から受信した書籍情報を表示する書籍情報表示手段としての機能を有する。
【００４９】
データ管理サーバ２０´のハードウェア構成は、図３（ａ）と同一である。図１１（ａ）は、データ管理サーバ２０´の機能ブロック図である。図３（ａ）に示したハードウェア構成において、ＣＰＵ２０ａが記憶装置２０ｃに記憶されたプログラムをＲＡＭ２０ｂに読み込んで実行することにより、データ管理サーバ２０´は、図１１（ａ）に示した各手段を機能させることが可能となる。図１１（ａ）に示すように、データ管理サーバ２０´は、観点記憶手段Ｄ２、参照コンテンツ記憶手段Ｄ３、観点リスト取得手段２１、観点リスト送信手段２２、参照コンテンツ取得手段２３、参照コンテンツ送信手段２４に加えて、書籍情報記憶手段Ｄ４、書籍情報取得手段２５、書籍情報送信手段２６、観点統合サイト作成手段２７を有する。
【００５０】
書籍情報記憶手段Ｄ４は、書籍識別情報である書籍ＩＤに対応付けて書籍に関する情報である書籍情報を記憶した記憶手段である。本実施形態では、書籍情報として書籍のタイトル、表紙画像のパス、表紙画像を記憶している。書籍情報記憶手段Ｄ４は、記憶装置２０ｃ内にタイトル、表紙画像のパス、表紙画像を記憶するための所定の領域を確保することにより実現される。
【００５１】
図１２は、書籍情報記憶手段Ｄ４に記憶された情報の一例を示す図である。図１２に示すように、書籍情報記憶手段Ｄ４には、書籍ＩＤに対応付けてその書籍のタイトル、その書籍の表紙画像パスが対応付けて記憶されている。
【００５２】
書籍情報取得手段２５は、携帯型端末１０から受信した参照コンテンツパスを用いて参照コンテンツ記憶手段Ｄ３、書籍情報記憶手段Ｄ４を参照し、対応する書籍情報を取得する手段であり、ＣＰＵ２０ａが専用のプログラムを実行することにより実現される。書籍情報送信手段２６は、書籍情報取得手段２５により取得された参照コンテンツを携帯型端末１０に送信する手段であり、通信部２０ｇがＣＰＵ２０ａから受けた送信命令を実行することにより実現される。
【００５３】
観点統合サイト作成手段２７は、第２の応用形態で用いるものであり、参照コンテンツ記憶手段Ｄ３内に記憶された同一の観点について、参照コンテンツパスを抽出し、各参照コンテンツパスをまとめたＨＴＭＬページを観点統合サイトとして作成する手段であり、ＣＰＵ２０ａが専用のプログラムを実行することにより実現される。
【００５４】
＜５．第１の応用形態・処理動作＞
次に、第１の応用形態に係る電子書籍の参照コンテンツ表示システムの処理動作について、図１３のシーケンス図を用いて説明する。利用者が、携帯型端末１０から参照先サーバ４０にアクセスすると、携帯型端末１０のＷＷＷブラウザとしての機能、および参照先サーバ４０のＷＷＷサーバとしての機能により、携帯型端末１０は、参照先サーバ４０からＨＴＭＬページを受信し、ＣＰＵ１０ａが解釈して表示部１０ｆに表示する。具体的には、携帯型端末１０は、参照先サーバ４０にＨＴＭＬページの送信を要求し（ステップＳ２１）、参照先サーバ４０は、要求に応じて携帯型端末１０にＨＴＭＬページを送信する（ステップＳ２２）。
【００５５】
参照先サーバ４０から受信したＨＴＭＬページに埋め込まれたスクリプトは、携帯型端末１０が備えるＷＷＷブラウザにより、実行される。現実には、ＣＰＵ１０ａがスクリプトを読み込み、実行することになる。参照先サーバ４０から受信したＨＴＭＬページには、データ管理サーバ２０´にアクセスして、参照先サーバ４０内の参照コンテンツを特定する参照コンテンツパスをデータ管理サーバ２０´にアクセスするためのスクリプトが埋め込まれているので、ＣＰＵ１０ａは、このスクリプトを実行し、データ管理サーバ２０´に参照コンテンツパスを送信する（ステップＳ２３）。ステップＳ２１〜Ｓ２３までの処理は、参照先サーバ４０のＨＴＭＬページにスクリプトを埋め込んでおき、携帯型端末１０は汎用のＷＷＷブラウザを備えるだけで実現される。
【００５６】
データ管理サーバ２０´では、通信部２０ｇが携帯型端末１０から参照コンテンツパスを受信する。そして、書籍情報取得手段２５が、書籍ＩＤを取得する（ステップＳ２４）。具体的には、まず、書籍情報取得手段２５は、受信した参照コンテンツパスで参照コンテンツ記憶手段Ｄ３を参照し、対応する対象ＩＤおよび観点を取得する。取得した対象ＩＤは、上述のように上位の所定の桁数（本例では４桁）が書籍ＩＤとなっているので、書籍情報取得手段２５は、上位の所定の桁数のみ抽出することにより、書籍ＩＤを取得する。
【００５７】
次に、書籍情報取得手段２５は、取得した書籍ＩＤで書籍情報記憶手段Ｄ４を参照し、対応するタイトルおよび表紙画像を書籍情報として取得する（ステップＳ２５）。そして、書籍情報送信手段２６が、書籍情報取得手段２５により取得された書籍情報を携帯型端末１０に送信する（ステップＳ２６）。
【００５８】
携帯型端末１０は、書籍情報を受信すると、ＷＷＷブラウザの機能により受信した書籍情報を表示する。具体的には、ＣＰＵ１０ａが、受信した書籍情報を表示部１０ｇに表示させる処理を行う。図１４に、書籍情報を表示した携帯型端末１０の画面の例を示す。図１４に示すように、携帯型端末１０から参照先サーバ４０にアクセスすると、参照先サーバ４０のＨＴＭＬページが表示され、その一部にデータ管理サーバ２０から取得された書籍情報が表示される。基本形態では、書籍データから関連するサイトを参照コンテンツとして取得するのみであったが、第１の応用形態では、参照コンテンツが存在する参照先サーバから書籍の情報を取得している。すなわち、第１の応用形態における処理は、基本形態における処理の逆引きとなっている。なお、上記説明では、携帯型端末１０に表示させる書籍情報を、タイトルおよび表紙画像としたが、タイトル、表紙画像のどちらか一方であっても良い。
【００５９】
＜６．第２の応用形態・処理動作＞
次に、第２の応用形態について説明する。第２の応用形態では、書籍の別に関わらず、同一の観点語句についての参照コンテンツ先を統合したサイトを作成する。第２の応用形態における処理は、データ管理サーバ２０´単体で行う。第２の応用形態に係る電子書籍の参照コンテンツ表示システムの処理動作について、図１５のフローチャートを用いて説明する。
【００６０】
まず、観点統合サイト作成手段２７が、参照コンテンツ記憶手段Ｄ３内の観点の項目を参照し、統合対象とする観点を決定する（ステップＳ３１）。具体的には、参照コンテンツ記憶手段Ｄ３内の観点の項目の先頭のレコードの観点を統合対象とする観点として決定する。既に、その観点について、統合サイトが作成されている場合には、次のレコードの観点を統合対象とする。例えば、図６の例では、先頭のレコードの“驚きの生態”が統合対象の観点として決定されることになる。
【００６１】
統合対象の観点が決定したら、観点統合サイト作成手段２７は、参照コンテンツ記憶手段Ｄ３の観点の項目において、統合対象とされた観点と同一の観点となる参照コンテンツパスを抽出する（ステップＳ３２）。１つの観点について複数の参照コンテンツパスが記録されている場合は、全て抽出する。
【００６２】
次に、観点統合サイト作成手段２７は、抽出した各参照コンテンツパスに所定の画像を割り当て、各参照コンテンツパスへのアクセス命令をスクリプトとして埋め込んだＨＴＭＬページを作成する（ステップＳ３３）。そして、観点統合サイト作成手段２７は、作成したＨＴＭＬページを公開サイトとして登録する（ステップＳ３４）。具体的には、作成したＨＴＭＬページを観点統合サイトとして統合サイト記憶手段Ｄ５に格納する。
【００６３】
上記のようにして、観点統合サイトとなるＨＴＭＬページが作成された後、携帯型端末１０がＷＷＷブラウザの機能により、データ管理サーバ２０の観点統合サイトにアクセスしたとする。すると、データ管理サーバ２０は、統合サイト記憶手段Ｄ５に記憶された観点統合サイトのＨＴＭＬページを携帯型端末１０に送信する。携帯型端末１０は、ＷＷＷブラウザの機能により、受信したＨＴＭＬページを表示部１０ｆに表示する。この際、携帯型端末１０の画面に表示された観点統合サイトを図１６に示す。
【００６４】
観点統合サイトには、複数の参照コンテンツパスに対応する枠が表示される。図１６の例では、４つの参照コンテンツパスに対応した４つの枠が表示されている。各枠には、異なる参照コンテンツパスへのアクセス命令がスクリプトとして記録されている。実際には、図１６に示した各枠には、各参照コンテンツ先を表現した画像が表示されることになる。携帯型端末１０を用いて観点統合サイトにアクセスした利用者は、いずれかの枠を選択指示することにより、対応する参照コンテンツ先にアクセスすることができる。
【００６５】
＜７．第３の応用形態・システム構成＞
次に、第３の応用形態について説明する。第３の応用形態では、紙の書籍を利用して関連する書籍の情報を取得する。図１７は、本発明の第３の応用形態に係る電子書籍の参照コンテンツ表示システムの構成図である。図１７中、基本形態、第１・第２の応用形態と同一の構成要素については、同一符号を付してある。携帯型端末１０´は、データ管理サーバ２０´´は、それぞれ基本形態、第１・第２の応用形態における携帯型端末１０、データ管理サーバ２０、データ管理サーバ２０´と若干異なっている。図１７において、Ｂは書籍であり、Ｋは印刷・貼付等により書籍に付された光学シンボルである。携帯型端末１０´、データ管理サーバ２０´´は、インターネット等の公衆のネットワーク３０に接続されており、互いにデータの送受信が可能となっている。
【００６６】
携帯型端末１０´のハードウェア構成は、図２（ａ）と同一である。図１８（ａ）は、携帯型端末１０´の機能ブロック図である。図２（ａ）に示したハードウェア構成において、ＣＰＵ１０ａが記憶装置１０ｃに記憶されたプログラムをＲＡＭ１０ｂに読み込んで実行することにより、携帯型端末１０´は、図１８（ａ）に示した各手段を機能させることが可能となる。図１８（ａ）に示すように、携帯型端末１０´は、表示範囲決定手段１１、参照対象特定手段１２、対象識別情報送信手段１３、観点リスト表示手段１４、観点識別情報送信手段１５、参照コンテンツ表示手段１６、書籍データ記憶手段Ｄ１に加えて、光学シンボル読取手段１７、書籍コード送信手段１８を有する。
【００６７】
光学シンボル読取手段１７は、書籍Ｂに付された光学シンボルＫに記録されている情報を取得する手段であり、ＣＰＵ１０ａがカメラ部１０ｈで撮影した画像に対して画像処理を行うことにより実現される。光学シンボルとは、情報を光学識別可能に記録したものであり、バーコード等の一次元コードや、ＱＲコード（登録商標）等の二次元コードを用いることができる。本実施形態では、書籍を識別可能な書籍コードを記録したバーコードを、光学シンボルＫとして採用している。書籍コード送信手段１８は、光学シンボル読取手段１７が光学シンボルＫから取得した書籍コードをデータ管理サーバ２０に送信する手段であり、通信部１０ｇがＣＰＵ１０ａから受けた送信命令を実行することにより実現される。また、携帯型端末１０´は、通信部１０ｇが関連書籍情報を受信した場合に、ＣＰＵ１０ａが表示部１０ｈを制御することにより、関連書籍情報を表示する関連書籍情報表示手段としての機能も有する。
【００６８】
データ管理サーバ２０´´のハードウェア構成は、図３（ａ）と同一である。図１８（ｂ）は、データ管理サーバ２０´´の機能ブロック図である。図３（ａ）に示したハードウェア構成において、ＣＰＵ２０ａが記憶装置２０ｃに記憶されたプログラムをＲＡＭ２０ｂに読み込んで実行することにより、データ管理サーバ２０´´は、図１８（ｂ）に示した各手段を機能させることが可能となる。図１８（ｂ）に示すように、データ管理サーバ２０´´は、観点記憶手段Ｄ２、参照コンテンツ記憶手段Ｄ３、書籍情報記憶手段Ｄ４、観点リスト取得手段２１、観点リスト送信手段２２、参照コンテンツ取得手段２３、参照コンテンツ送信手段２４、書籍情報取得手段２５、書籍情報送信手段２６に加えて、関連書籍情報取得手段２８、関連書籍情報送信手段２９、書籍コード記憶手段Ｄ６、関連書籍識別情報記憶手段Ｄ７を有する。
【００６９】
書籍コード記憶手段Ｄ６は、書籍を特定するコードである書籍コードと書籍ＩＤを記憶した記憶手段である。関連書籍識別情報記憶手段Ｄ７は、参照コンテンツパスと関連書籍ＩＤを対応付けて記憶した記憶手段である。書籍コード記憶手段Ｄ６、関連書籍識別情報記憶手段Ｄ７は、記憶装置２０ｃ内にそれぞれ書籍コードと書籍ＩＤ、参照コンテンツパスと関連書籍ＩＤを記憶するための所定の領域を確保することにより実現される。
【００７０】
図１９は、書籍コード記憶手段Ｄ６に記憶された情報の一例を示す図である。書籍コードと書籍ＩＤはいずれも書籍を特定する情報であるので、同一のものを利用すれば、書籍コード記憶手段Ｄ６を用意する必要はない。
【００７１】
図２０は、関連書籍識別情報記憶手段Ｄ７に記憶された情報の一例を示す図である。図２０に示すように、関連書籍識別情報記憶手段Ｄ７には、参照コンテンツパスに対応付けて関連書籍ＩＤが記憶されている。
【００７２】
関連書籍情報取得手段２８は、携帯型端末１０から受信した書籍コードを用いて書籍コード記憶手段Ｄ６を参照して該当する書籍ＩＤを取得し、書籍ＩＤを用いて参照コンテンツ記憶手段Ｄ３を参照して該当する参照コンテンツパスを取得し、参照コンテンツパスを用いて関連書籍識別情報記憶手段Ｄ７を参照して該当する関連書籍ＩＤを取得し、関連書籍ＩＤを書籍ＩＤとして書籍情報記憶手段Ｄ４を参照して該当する書籍情報を取得する手段であり、ＣＰＵ２０ａが専用のプログラムを実行することにより実現される。関連書籍情報送信手段２９は、関連書籍情報取得手段２８により取得された書籍情報を関連書籍情報として携帯型端末１０に送信する手段であり、通信部２０ｇがＣＰＵ２０ａから受けた送信命令を実行することにより実現される。
【００７３】
＜８．第３の応用形態・処理動作＞
第３の応用形態に係る電子書籍の参照コンテンツ表示システムの処理動作について、図２１のシーケンス図を用いて説明する。利用者が、紙の書籍に興味を持ち、関連する書籍の情報も知りたいと考えたとする。この場合、利用者は、携帯型端末１０の指示入力部１０ｄを操作することにより携帯型端末１０のカメラ部１０ｈを起動させる。カメラ部１０ｈが起動したら、利用者は、カメラ部１０ｈのレンズを書籍に添付された光学シンボルＫに向ける。カメラ部１０ｈが光学シンボルを認識すると、カメラ部１０ｈは光学シンボルＫを撮影し、光学シンボルＫに記録された情報を読み取る（ステップＳ４１）。光学シンボルＫには、様々な情報を記録することができるが、このうち、所定の書籍コードが記録されていることを認識した場合には、書籍コード送信手段１８が、事前に記憶装置１０ｃに登録されたＵＲＬを利用して、データ管理サーバ２０にアクセスして書籍コードを送信する（ステップＳ４２）。例えば、光学シンボルがバーコードである場合は、ＣＰＵ１０ａが専用プログラムを実行し、バーコードに記録された情報が書籍コードであるか否かを判断する。そして、バーコードに記録された情報が書籍コードである場合は、記憶装置１０ｃに登録されているＵＲＬで特定されるデータ管理サーバ２０に、読み取りにより取得した書籍コードを送信する。
【００７４】
データ管理サーバ２０では、通信部２０ｇが携帯型端末１０から書籍コードを受信する。そして、関連書籍情報取得手段２８が、受信した書籍コードで書籍コード記憶手段Ｄ６を参照し、対応する書籍ＩＤを取得する（ステップＳ４３）。次に、関連書籍情報取得手段２８は、取得した書籍ＩＤで参照コンテンツ記憶手段Ｄ３を参照し、対応する参照コンテンツパスを取得する（ステップＳ４４）。図６の例では、書籍ＩＤは対象ＩＤの上位４桁であるので、書籍ＩＤと一致する上位４桁を有する対象ＩＤに対応する参照コンテンツパスを取得する。複数の参照コンテンツパスが該当する場合は、それらを全て取得する。
【００７５】
次に、関連書籍情報取得手段２８は、取得した参照コンテンツパスで関連書籍識別情報記憶手段Ｄ７を参照し、対応する関連書籍ＩＤを取得する（ステップＳ４５）。ステップＳ４５において、複数の参照コンテンツパスが得られた場合は、複数の参照コンテンツパスそれぞれに対応する関連書籍ＩＤを全て取得する。次に、関連書籍情報取得手段２８は、取得した関連書籍ＩＤを書籍ＩＤとして書籍情報記憶手段Ｄ４を参照し、対応するタイトルおよび表紙画像パスを関連書籍情報として取得する（ステップＳ４６）。そして、関連書籍情報送信手段２９が、関連書籍情報取得手段２８により取得された関連書籍情報を携帯型端末１０に送信する（ステップＳ４７）。
【００７６】
携帯型端末１０では、通信部１０ｇが関連書籍情報を受信する。そして、受信した関連書籍情報を、関連書籍情報表示手段が表示する（ステップＳ４８）。具体的には、ＣＰＵ１０ａが、受信した関連書籍情報を表示部１０ｆに表示させる。関連書籍情報を複数受信した場合は、複数の関連書籍情報を所定の体裁で表示する。
【００７７】
以上、本発明の好適な実施形態について説明したが、本発明は、上記実施形態に限定されず、種々の変形が可能である。例えば、上記実施形態では、電子書籍がページ単位で構成されており、表示範囲の決定をページ単位で行う場合について説明したが、電子書籍がページ単位でなく巻物のように、任意の行数だけ移動させて読み進める巻物形式であっても良い。巻物形式の場合、利用者の指示に従って表示面積の増分を決定し、その増分に相当する文字列に対応する書籍データをＨＴＭＬタグとともに読み込む。これにより表示範囲が決定されるので、読み込まれたＨＴＭＬタグに含まれる対象ＩＤを参照対象として取得する。
【００７８】
また、上記実施形態では、観点として、書籍に登場する「昆虫」についての観点について説明したが、小説に登場する「喫茶店」についての「モデルとなった店」、小説に登場する「人物」についての「死の解釈」、動物の習性の解説に対する「別の説」、本能寺の変が起こった頃の「同時代のヨーロッパの状況」、主人公の決め台詞についての「台詞の元ネタ」等、特定の様式にとらわれず、利用者が自分では思い付かないが興味を惹く様々な観点を付することが可能である。
【００７９】
上記実施形態では、基本形態と第１〜第３の応用形態に分けて説明したが、各形態において説明した各手段を適宜組み合わせて実施するようにしても良い。例えば、第２の応用形態と第３の応用形態の各手段を組み合わせて、参照される書籍の光学シンボルを撮影して書籍コードを取得し、関連書籍ＩＤを取得した後、関連書籍識別情報記憶手段Ｄ７から参照コンテンツパスを取得することにより書籍データ記憶手段Ｄ１に記憶された書籍データに関する書籍情報を逆に取得するようにしても良い。
【産業上の利用可能性】
【００８０】
本発明は、書籍データを端末装置に表示する電子書籍に関する産業、特に、表示された書籍の文字データに関連する情報を表示するための産業に利用可能である。
【符号の説明】
【００８１】
１０、１０´・・・携帯型端末（電子書籍装置）
１０ａ・・・ＣＰＵ
１０ｂ・・・ＲＡＭ
１０ｃ・・・記憶装置
１０ｄ・・・指示入力部
１０ｅ・・・データ入出力Ｉ／Ｆ
１０ｆ・・・表示部
１０ｇ・・・通信部
１０ｈ・・・カメラ部
１１・・・表示範囲決定手段
１２・・・参照対象特定手段
１３・・・対象識別情報送信手段
１４・・・観点リスト表示手段
１５・・・観点識別情報送信手段
１６・・・参照コンテンツ表示手段
１７・・・光学シンボル読取手段
１８・・・書籍コード送信手段
２０、２０´、２０´´・・・データ管理サーバ
２０ａ・・・ＣＰＵ
２０ｂ・・・ＲＡＭ
２０ｃ・・・記憶装置
２０ｄ・・・入力Ｉ／Ｆ
２０ｅ・・・データ入出力Ｉ／Ｆ
２０ｆ・・・表示出力Ｉ／Ｆ
２０ｇ・・・通信部
２１・・・観点リスト取得手段
２２・・・観点リスト送信手段
２３・・・参照コンテンツ取得手段
２４・・・参照コンテンツ送信手段
２５・・・書籍情報取得手段
２６・・・書籍情報送信手段
２７・・・観点統合サイト作成手段
２８・・・関連書籍情報取得手段
２９・・・関連書籍情報送信手段
３０・・・ネットワーク
４０・・・参照先サーバ
１００、１０１、１０２・・・電子書籍の参照コンテンツ表示システム
Ｂ・・・書籍
Ｄ１・・・書籍データ記憶手段
Ｄ２・・・観点記憶手段
Ｄ３・・・参照コンテンツ記憶手段
Ｄ４・・・書籍情報記憶手段
Ｄ５・・・統合サイト記憶手段
Ｄ６・・・書籍コード記憶手段
Ｄ７・・・関連書籍識別情報記憶手段
Ｋ・・・光学シンボル
【図１】
2014010730.tif 000003
【図２】
2014010730.tif 000004
【図３】
2014010730.tif 000005
【図４】
2014010730.tif 000006
【図５】
2014010730.tif 000007
【図６】
2014010730.tif 000008
【図７】
2014010730.tif 000009
【図８】
2014010730.tif 000010
【図９】
2014010730.tif 000011
【図１０】
2014010730.tif 000012
【図１１】
2014010730.tif 000013
【図１２】
2014010730.tif 000014
【図１３】
2014010730.tif 000015
【図１４】
2014010730.tif 000016
【図１５】
2014010730.tif 000017
【図１６】
2014010730.tif 000018
【図１７】
2014010730.tif 000019
【図１８】
2014010730.tif 000020
【図１９】
2014010730.tif 000021
【図２０】
2014010730.tif 000022
【図２１】
2014010730.tif 000023